(57)【特許請求の範囲】
【請求項１】
容器本体(2)の内部に複数のシート状物(3)を積層して収容してなるシート状物収容容器において、
複数のシート状物(3)を積層してなるシート状物積層体(5)を、断面先端狭窄状の容器本体(2)の内部に収容し、同容器本体(2)の先端部に取出口(4)を形成し、
シート状物積層体(5)は、各シート状物(3)を中途部で上下に折曲し、上側に位置する上側シート片(6)の長さよりも下側に位置する下側シート片(7)の長さを長くし、下側シート片(7)のうち上側シート片(6)よりも長い部分を山折りに折り曲げるとともに下側シート片(7)を中途部で山折りに折り曲げることによってシート状物積層体(5)を断面視で台形状に形成し、シート状物(3)の上側先端部を、容器本体(2)の取出口(4)から突出させるための突出片(8)とする一方、シート状物(3)の下側中途部を、シート状物(3)を取り出す際に下層のシート状物(3)の突出片(8)を持ち上げるための持上片(11)とし、上層のシート状物(3)の突出片(8)と持上片(11)との間に下層のシート状物(3')の突出片(8')を挟み込んで、上層のシート状物(3)の突出片(8)を引き上げることにより、上層の持上片(11)が下層の突出片(8')を持ち上げて、同下層の突出片(8)を取出口(4)から突出させるべく構成したことを特徴とするシート状物収容容器。
【請求項２】
シート状物積層体(5)は、中途部で上下に折曲した前記シート状物(3)の折曲部分を裾保持部(13)とし、下層のシート状物(3')の裾保持部(13')に、上層のシート状物(3)の下側裾部を挟み込んだことを特徴とする請求項１記載のシート状物収容容器。
【発明の詳細な説明】
【０００１】
【発明の属する技術分野】
本発明は、シート状物収容容器に関するものである。
【０００２】
【従来の技術】
従来のシート状物収容容器としては、ティッシュペーパーの収容容器に代表されるように、矩形箱型状の容器本体の内部にティッシュペーパーを二つ折りに互い違いに折り込んで平坦状に積層したものが知られている。
【０００３】
かかるティッシュペーパー収容容器は、容器本体の上部に取出口を形成し、同取出口から上層のティッシュペーパーを取り出すと、下層のティッシュペーパーの端部が取出口から突出して、ティッシュペーパーを連続して取り出せるようにしたものである。
【０００４】
【発明が解決しようとする課題】
ところが、上記従来のティッシュペーパー収容容器にあっては、矩形箱型状の容器本体の内部に平坦状に積層したティッシュペーパーを収容していたため、ティッシュペーパーを取り出す際に、取出口近傍でティッシュペーパーが略直角に折り曲げられることとなり、ティッシュペーパーが取出口に引っ掛かり、ティッシュペーパーが円滑に取り出せないばかりではなく、ティッシュペーパーが破れてしまうおそれもあった。
【０００５】
【課題を解決するための手段】
そこで、本発明では、容器本体の内部に複数のシート状物を積層して収容してなるシート状物収容容器において、シート状物を二つ折りに互い違いに折り込んで積層してなるシート状物積層体を、断面先端狭窄状の容器本体の内部に収容し、同容器本体の先端部に取出口を形成した。
【０００６】
しかも、シート状物積層体は、各シート状物を中途部で上下に折曲し、上側に位置する上側シート片の長さよりも下側に位置する下側シート片の長さを長くし、下側シート片のうち上側シート片よりも長い部分を山折りに折り曲げるとともに下側シート片を中途部で山折りに折り曲げることによってシート状物積層体を断面視で台形状に形成し、シート状物の上側先端部を、容器本体の取出口から突出させるための突出片とする一方、シート状物の下側中途部を、シート状物を取り出す際に下層のシート状物の突出片を持ち上げるための持上片とし、上層のシート状物の突出片と持上片との間に下層のシート状物の突出片を挟み込んで、上層のシート状物の突出片を引き上げることにより、上層の持上片が下層の突出片を持ち上げて、同下層の突出片を取出口から突出させるべく構成した。
【０００７】
また、シート状物積層体は、各シート状物を中途部で上下に折曲し、折曲部分を裾保持部とし、下層のシート状物の裾保持部に、上層のシート状物の下側裾部を挟み込んだ。
【０００８】
【発明の実施の形態】
本発明に係るシート状物収容容器は、シート状物を二つ折りに互い違いに折り込んで積層してなるシート状物積層体を、断面先端狭窄状の容器本体の内部に収容し、同容器本体の先端部に取出口を形成したものである。
【０００９】
従って、シート状物を取り出す際に、シート状物が先端狭窄状の容器本体の側壁に沿って移動することとなり、シート状物は、取出口の近傍で僅かだけしか曲げられておらず、シート状物が取出口に引っ掛かることがなく、シート状物を円滑に取り出すことができるものである。
【００１０】
また、シート状物積層体は、各シート状物を中途部で上下に折曲し、シート状物の上側先端部を、容器本体の取出口から突出させるための突出片とする一方、シート状物の下側中途部を、シート状物を取り出す際に下層のシート状物の突出片を持ち上げるための持上片とし、上層のシート状物の突出片と持上片との間に下層のシート状物の突出片を挟み込んで形成している。
【００１１】
そのため、上層のシート状物の突出片を引き上げることにより、上層の持上片が下層の突出片を持ち上げて、同下層の突出片を取出口から突出させことができ、容器本体からシート状物を順次連続して取り出すことができる。
【００１２】
また、シート状物積層体は、各シート状物を中途部で上下に折曲し、折曲部分を裾保持部とし、下層のシート状物の裾保持部に、上層のシート状物の下側裾部を挟み込んでいる。
【００１３】
そのため、シート状物を取り出す際に、シート状物が断面視で略直線状に張った状態となり、上層のシート状物の持上片で下層のシート状物の突出片を確実に上方へ持ち上げることができる。
【００１４】
しかも、各シート状物の裾片が他のシート状物の裾保持部によって保持されることとなり、シート状物積層体が崩れてしまうことがなくなり、容器本体の内部にシート状物積層体を容易に収容することができ、収容作業の負担を軽減することができる。
【００１５】
【実施例】
以下に、本発明の実施例について図面を参照しながら説明する。
【００１６】
図１は、本発明に係るシート状物収容容器１を示した図であり、シート状物収容容器１は、容器本体２の内部に複数のシート状物３を収容して、容器本体２からシート状物３を連続して取り出せるようにしたものである。
【００１７】
容器本体２は、図１及び図２に示すように、断面視で先端狭窄状（台形状）かつ、横長手状に形成しており、先端部には、矩形状の取出口４を形成している。
【００１８】
シート状物３は、図２に示すように、二つ折りに互い違いに折り込まれて積層されることにより、断面視で先端狭窄状（台形状）のシート状物積層体５を形成している。尚、シート状物３としては、ティッシュペーパーや合成樹脂製袋等のシート状で軟質素材からなる各種物品が特に適している。
【００１９】
シート状物積層体５は、図２に示すように、各シート状物３を中途部で折り曲げるとともに、上下に重ね合わせ、上側に位置する上側シート片６の長さよりも下側に位置する下側シート片７の長さを長くしている。
【００２０】
各シート状物３は、上側シート片６を中途部で略へ字状に山折りに折り曲げて、上側シート片６の先端部、すなわち、シート状物３の上側先端部を突出片８とするとともに、上側シート片６の基端部、すなわち、シート状物３の上側基端部を上側裾保持部構成片９としている。
【００２１】
また、各シート状物３は、下側シート片７のうち上側シート片６よりも長い部分を略へ字状に山折りに折り曲げて、下側シート片７の先端部、すなわち、シート状物３の下側裾部を裾片10とし、更には、下側シート片７を中途部で略へ字状に山折りに折り曲げて、下側シート片７の中途部、すなわち、シート状物３の下側中途部を持上片11とするとともに、下側シート片７の基端部、すなわち、シート状物３の下側基端部を下側裾保持部構成片12とし、同下側裾保持部構成片12と前記上側裾保持部構成片９とによりシート状物３の折曲部分に裾保持部13を形成している。
【００２２】
そして、シート状物積層体５は、最上層のシート状物３の突出片８を容器本体２の取出口４から外部に突出させている。
【００２３】
また、シート状物積層体５は、上層のシート状物３の突出片８と持上片11との間に下層のシート状物3'の突出片8'を挟み込んでいる。
【００２４】
しかも、シート状物積層体５は、下層のシート状物3'の裾保持部13' に上層のシート状物２の裾片10を挟み込んでいる。
【００２５】
シート状物収容容器１は、以上のように構成されており、以下に説明するようにして、容器本体２からシート状物３を連続して取り出すことができる。
【００２６】
（１）使用者が、容器本体２の取出口４から突出している最上層のシート状物３の突出片８を摘んで、シート状物３を上方へ引き上げると、図３に示すように、最上層のシート状物３の突出片８に続いて、上側裾保持部構成片９と下側裾保持部構成片12とが取出口４から取り出される。
【００２７】
その際に、断面視で先端狭窄状の容器本体２の内部に、同じく断面視で先端狭窄状に形成したシート状物積層体５を収容しているため、シート状物３の上下側裾保持部構成片9,12は、容器本体２の側壁14に沿って移動することとなり、図３に示すように、シート状物３は、取出口４の近傍で僅かだけしか曲げられておらず、従って、シート状物３が取出口４に引っ掛かることがなく、シート状物３を円滑に取り出すことができる。
【００２８】
しかも、シート状物３が取出口４に引っ掛かって、シート状物３が破れることもなくなり、シート状物３の破損を防止することができる。
【００２９】
（２）さらに、最上層のシート状物３を上方へ引き上げると、図４に示すように、最上層のシート状物３の持上片11が上方へ持ち上げられ、それに伴って、同持上片11が、下層のシート状物3'の突出片8'を持ち上げるとともに、同下層のシート状物3'の突出片8'を取出口４から外部に突出させる。
【００３０】
このように、上層のシート状物３の突出片８と持上片11との間に下層のシート状物3'の突出片8'を挟み込んでいるため、上層のシート状物３の突出片８を引き上げることにより、上層のシート状物３の持上片11が下層のシート状物3'の突出片8'を持ち上げて、同下層のシート状物3'の突出片8'を取出口４から外部に突出させることができ、容器本体２からシート状物３を順次連続して取り出すことができる。
【００３１】
しかも、上層のシート状物３の裾片10が下層のシート状物3'の裾保持部13' によって保持されているため、図４に示すように、シート状物３を取り出す際に、シート状物３が断面視で略直線状に張った状態となり、上層のシート状物３の持上片11で下層のシート状物3'の突出片8'を確実に上方へ持ち上げることができる。
【００３２】
また、各シート状物３の裾片10が他のシート状物３の裾保持部13によって保持されることとなり、シート状物積層体５が崩れてしまうことがなくなり、容器本体２の内部にシート状物積層体５を容易に収容することができ、収容作業の負担を軽減することができる。
【００３３】
（３）その後、さらに、最上層のシート状物３を上方へ引き上げると、最上層のシート状物３の裾片10が、下層のシート状物3'の裾保持部13' から抜け出て、容器本体２から最上層のシート状物３を取り出すことができる。
【００３４】
この際にも、シート状物３の裾片10は、容器本体２の側壁14に沿って移動することとなり、図５に示すように、シート状物３は、取出口４の近傍で僅かだけしか曲げられておらず、従って、シート状物３が取出口４に引っ掛かることがなく、シート状物３を円滑に取り出すことができるとともに、シート状物３の破損を防止することができる。
【００３５】
このようにして、シート状物収容容器１は、容器本体２の内部に収容したシート状物３を順次連続して円滑に取り出すことができる。
【００３６】
【発明の効果】
本発明は、以上説明したような形態で実施され、以下に記載されるような効果を奏する。
【００３７】
本発明では、シート状物を二つ折りに互い違いに折り込んで積層してなるシート状物積層体を、断面先端狭窄状の容器本体の内部に収容し、同容器本体の先端部に取出口を形成しているため、シート状物を取り出す際に、シート状物が先端狭窄状の容器本体の側壁に沿って移動することとなり、シート状物は、取出口の近傍で僅かだけしか曲げられておらず、従って、シート状物が取出口に引っ掛かることがなく、シート状物を円滑に取り出すことができる。
【００３８】
また、シート状物積層体が、各シート状物を中途部で上下に折曲し、シート状物の上側先端部を、容器本体の取出口から突出させるための突出片とする一方、シート状物の下側中途部を、シート状物を取り出す際に下層のシート状物の突出片を持ち上げるための持上片とし、上層のシート状物の突出片と持上片との間に下層のシート状物の突出片を挟み込んでいるため、上層のシート状物の突出片を引き上げることにより、上層の持上片が下層の突出片を持ち上げて、同下層の突出片を取出口から突出させことができ、容器本体からシート状物を順次連続して取り出すことができる。
【００３９】
さらに、シート状物積層体が、各シート状物を中途部で上下に折曲し、折曲部分を裾保持部とし、下層のシート状物の裾保持部に、上層のシート状物の下側裾部を挟み込んでいるため、シート状物を取り出す際に、シート状物が断面視で略直線状に張った状態となり、上層のシート状物の持上片で下層のシート状物の突出片を確実に上方へ持ち上げることができる。
【００４０】
しかも、各シート状物の裾片が他のシート状物の裾保持部によって保持されることとなり、シート状物積層体が崩れてしまうことがなくなり、容器本体の内部にシート状物積層体を容易に収容することができ、収容作業の負担を軽減することができる。
【図面の簡単な説明】
【図１】本発明に係るシート状物収容容器の使用状態を示す斜視図。
【図２】シート状物収容容器の内部を示す断面図。
【図３】シート状物を取り出す状態を示す説明図。
【図４】シート状物を取り出す状態を示す説明図。
【符号の説明】
１  シート状物収容容器
２  容器本体
３  シート状物
４  取出口
５  シート状物積層体
６  上側シート片
７  下側シート片
８  突出片
９  上側裾保持部構成片
10  裾片
11  持上片
12  下側裾保持部構成片
13  裾保持部
14  側壁
【図１】
0003699275.tif 000002
【図２】
0003699275.tif 000003
【図３】
0003699275.tif 000004
【図４】
0003699275.tif 000005